(57)【要約】  【課題】時刻を較正するための標準電波を受信して内蔵するクロックの時刻を自動的に修正する電波時計用のクロック装置を、全体としてより小型化して省スペースを図り、実装工程を含めた全体としてより安価にすると共に、各種の形状のアンテナ組立体を採用することが可能な電波時計用のクロック装置を提供する。  【解決手段】標準電波を受信して時刻を修正する電波時計用のクロック装置において、基板の表面に、少なくとも水晶発振器及びＩＣからなる構成部品を実装する回路パターンを形成し、裏面に回路基板と接続する電極を形成すると共に、側面に回路パターンと電極とを接続する接続用導体を形成することを特徴とする電波時計用のクロック装置によって達成される。【選択図】  図１
2005274349.tif 000002
【特許請求の範囲】
【請求項１】
標準電波を受信するアンテナと、該アンテナと共働して共振回路を構成する同調用コンデンサと、所定のクロック信号を発生する水晶発振器と、前記共振回路を駆動して前記アンテナで受信した受信信号を処理すると共に前記水晶発振器から得た前記クロック信号を処理して、前記クロック信号と前記受信信号とを比較して時刻を修正するＩＣとを有する電波時計用のクロック装置において、
基板の表面に、少なくとも前記水晶発振器及び前記ＩＣからなる構成部品を実装する回路パターンを形成し、裏面に、少なくとも前記アンテナを配置する回路基板と接続する電極を形成すると共に、側面に、表面に形成された前記回路パターンと裏面に形成された前記電極とを接続する接続用導体を形成することを特徴とする電波時計用のクロック装置。
【請求項２】
前記基板の表面に実装された前記水晶発振器を除く前記構成部品が、ワイヤボンディング又はＦＣボンディングによって実装されていることを特徴とする請求項１記載の電波時計用のクロック装置。
【請求項３】
前記基板の表面に実装された前記構成部品が、樹脂封止されて一体に構成されていることを特徴とする請求項１又は２記載の電波時計用のクロック装置。
【請求項４】
前記水晶発振器が複数個であって、それぞれ異なった周波数の標準電波に対応することを特徴とする請求項１ないし３のいずれか１項に記載の電波時計用のクロック装置。
【請求項５】
標準電波を受信するアンテナと、該アンテナと共働して共振回路を構成する同調用コンデンサと、所定のクロック信号を発生する水晶発振器と、前記共振回路を駆動して前記アンテナで受信した受信信号を処理すると共に前記水晶発振器から得た前記クロック信号を処理して、前記クロック信号と前記受信信号とを比較して時刻を修正するＩＣとを有する電波時計用のクロック装置において、
表面に、少なくとも前記水晶発振器及び前記ＩＣからなる前記構成部品を実装する基体が、前記構成部品を実装する回路パターンを有する基板をマトリックス状に配置した集合基板であって、
該集合基板の表面に、前記構成部品を実装する前記回路パターンを形成する回路形成工程と、
前記集合基板の所定の位置に、前記構成部品を実装して固定する実装工程と、
前記構成部品が実装された前記集合基板を樹脂封止するモールド工程と、
この樹脂封止された前記集合基板をダイシングして、個々の電波時計用のクロック装置に分割するダイシング工程とを有することを特徴とする電波時計用のクロック装置の製造方法。
【請求項６】
前記集合基板にマトリックス状に配置された前記基板の隅部に基板の側面の一部を構成する貫通孔を設け、
前記回路形成工程において、前記集合基板の表面に前記回路パターンを、裏面に少なくとも前記アンテナを配置する回路基板と接続する電極を、前記貫通孔に前記回路パターンと前記電極とを相互に接続する接続用導体を形成することを特徴とする請求項５記載の電波時計用のクロック装置の製造方法。
【発明の詳細な説明】
【技術分野】
【０００１】
本発明は、通常、ＪＪＹと呼ばれている時刻を較正するための標準電波を受信して、内蔵するクロックの時刻を修正することができる電波時計用のクロック装置及びその製造方法に関するものであり、より詳細には、この標準電波を受信して内蔵するクロックの時刻を修正することができる電波時計用のクロック装置をパッケージ化することによって取扱いを容易にし、且つ、より小型化して省スペースを図ると共に、より安価に提供することを目的とした電波時計用のクロック装置及びその製造方法に関するものである。
【背景技術】
【０００２】
標準電波を受信して時刻を修正する電波時計用のクロック装置は、最近では、腕時計や置時計等の時計ばかりでなく、内部で時刻を生成するクロックを有する各種の情報機器、例えば、携帯電話やカーナビゲーション装置、パーソナルコンピュータ、ＰＤＡ（Ｐｅｒｓｏｎａｌ  Ｄｉｇｉｔａｌ  Ａｓｓｉｓｔａｎｔ）等に内蔵されているクロックの時刻を自動的に修正して、常に正確な時刻を表示するために使用されるようになってきた。
【０００３】
これらの各種の情報機器、特に、携帯して任意の場所で情報をやりとりする携帯可能な小型の情報機器においては、より小型で持ち運びが容易な情報機器とすると共に、より安価にすることが求められている。このため、これらの情報機器において、標準電波を受信して時刻を自動的に修正するために使用される電波時計用のクロック装置も、より小型化して省スペースを図ると共に、より安価に製造することが要求されている。
【０００４】
そして、このＪＪＹと呼ばれている標準電波は、日本全土を確実にカバーするために、東日本と西日本の２局から発信されているので、携帯して任意の場所で情報をやりとりする携帯可能な小型の情報機器としては、東日本及び西日本の双方の標準電波を受信可能にして、より感度の高い標準電波によって時刻を較正することが望ましい。
【０００５】
これらの携帯可能な小型の情報機器に使用される従来技術の標準電波を受信して時刻を自動的に修正する電波時計用のクロック装置は、図５にその１例を斜視図として示すように、標準電波を受信するアンテナとして棒状のアンテナ組立体３０を使用することが通常であり、このアンテナ組立体３０は、コアの外周にコイルを巻回して構成されたアンテナ３１と、アンテナ３１の両端に設けられたフランジ３２及び３３を有しているものであって、このアンテナ３１の外周に巻回されたコイルのリード線３１ａ、３１ｂは、図に示すように、情報機器の回路基板３４に形成された回路パターン３５に直接接続され、或いは、フランジ３２又は３３に配置されたコイル接続用端子（図示しない）を介して回路基板３４に形成された回路パターン３５に接続されている。
【０００６】
回路基板３４に形成された回路パターン３５には、更に、アンテナ３１と共働して電波時計の受信回路となる共振回路を形成する同調用コンデンサ３６、所定の周波数でクロック信号を発生する水晶発振器３７、及びこの水晶発振器３７のクロック信号によって時刻を生成するクロックと電波時計の受信回路とを駆動すると共に、受信回路で受信した標準電波によってクロック装置の時刻を修正するＩＣ３８、このＩＣ３８のためのコンデンサ３９、４０などが実装されており、全体として標準電波を受信して時刻を自動的に修正する電波時計用のクロック装置が形成されている。
【０００７】
この従来技術における電波時計用のクロック装置は、図から明らかなように、情報機器を制御、駆動するための各種回路を形成する回路基板３４の一部に配置されているものであって、他の回路との関係もあって、小型化して省スペース化するために最適な位置に配置することができない場合もあり、部品を実装する際にも、汎用の実装装置で水晶発振器３７やＩＣ３８等の部品を実装するために広い実装スペースを必要とし、実装するための工数もある程度以下に削減することは困難であった。このため、出願人は、アンテナ組立体を含む電波時計用のクロック装置の全体を一体に樹脂封止された１個の部品として構成することを検討した。
【０００８】
しかしながら、棒状のアンテナ組立体は指向性を有しているので、携帯可能な小型の情報機器に配置されたクロック装置の姿勢によって受信する標準電波の感度が変動する。この感度の変動を防止するために、最近のアンテナ組立体では、十字型等の各種の形状を有するものを採用することが増加しており、必要に応じてこれら各種の形状のアンテナ組立体を任意に選択して採用するためには、アンテナ組立体を独立させて、情報機器の回路基板の任意の位置に配置することが望ましい。また、アンテナと共働して共振回路を形成する同調用コンデンサは、最近では、アンテナ組立体に同調用コンデンサを一体に配置する技術が発達してきており、この場合には、同調用コンデンサのためのスペースは不要となる。
【発明の開示】
【発明が解決しようとする課題】
【０００９】
本発明は、このような従来技術の問題点を解消して、時刻を較正するための標準電波を受信して、内蔵するクロックの時刻を自動的に修正する電波時計用のクロック装置を、全体としてより小型化して省スペースを図り、実装工程を含めた全体としてより安価にすると共に、各種の形状のアンテナ組立体を採用することが可能な設計上の融通性の高い電波時計用のクロック装置を提供することを目的とするものである。
【課題を解決するための手段】
【００１０】
本発明は、これらの従来技術の問題点を解決するために、標準電波を受信するアンテナと、該アンテナと共働して共振回路を構成する同調用コンデンサと、所定のクロック信号を発生する水晶発振器と、前記共振回路を駆動して前記アンテナで受信した受信信号を処理すると共に前記水晶発振器から得た前記クロック信号を処理して、前記クロック信号と前記受信信号とを比較して時刻を修正するＩＣとを有する電波時計用のクロック装置において、基板の表面に、少なくとも前記水晶発振器及び前記ＩＣからなる構成部品を実装する回路パターンを形成し、裏面に、少なくとも前記アンテナを配置する回路基板と接続する電極を形成すると共に、側面に、表面に形成された前記回路パターンと裏面に形成された前記電極とを接続する接続用導体を形成することを特徴とする電波時計用のクロック装置を提供するものである。
【００１１】
ここで、前記基板の表面に実装された前記水晶発振器を除く前記構成部品が、ワイヤボンディング又はＦＣボンディングによって実装されていることが望ましく、更に、前記基板の表面に実装された前記構成部品が、樹脂封止されて一体に構成されていることが望ましい。或いは、前記水晶発振器が複数個であって、それぞれ異なった周波数の標準電波に対応することが望ましい。
【００１２】
また、本発明は、前述した従来技術の問題点を解決するために、標準電波を受信するアンテナと、該アンテナと共働して共振回路を構成する同調用コンデンサと、所定のクロック信号を発生する水晶発振器と、前記共振回路を駆動して前記アンテナで受信した受信信号を処理すると共に前記水晶発振器から得た前記クロック信号を処理して、前記クロック信号と前記受信信号とを比較して時刻を修正するＩＣとを有する電波時計用のクロック装置において、表面に、少なくとも前記水晶発振器及び前記ＩＣからなる前記構成部品を実装する基体が、前記構成部品を実装する回路パターンを有する基板をマトリックス状に配置した集合基板であって、該集合基板の表面に、前記構成部品を実装する前記回路パターンを形成する回路形成工程と、前記集合基板の所定の位置に、前記構成部品を実装して固定する実装工程と、前記構成部品が実装された前記集合基板を樹脂封止するモールド工程と、この樹脂封止された前記集合基板をダイシングして、個々の電波時計用のクロック装置に分割するダイシング工程とを有することを特徴とする電波時計用のクロック装置の製造方法を提供するものである。
【００１３】
ここで、前記集合基板にマトリックス状に配置された前記基板の隅部に基板の側面の一部を構成する貫通孔を設け、前記回路形成工程において、前記集合基板の表面に前記回路パターンを、裏面に少なくとも前記アンテナを配置する回路基板と接続する電極を、前記貫通孔に前記回路パターンと前記電極とを相互に接続する接続用導体を形成することが望ましい。
【発明の効果】
【００１４】
本発明の電波時計用のクロック装置は、以上に述べたように構成されているので、基板上に少なくとも水晶発振器やＩＣ等の構成部品を実装して樹脂封止された単一の部品となって、１パッケージに形成された表面実装型の電波時計用のクロック装置となり、特定用途の専用の部品として取り扱うことが可能となって、情報機器の回路基板にこの電波時計用のクロック装置と同調用コンデンサのマウントされたアンテナ組立体、或いはクロック装置とアンテナ組立体、同調用コンデンサを実装するのみで、標準電波を受信して時刻を自動的に修正する電波時計を構成することができ、時刻を較正するための標準電波を受信して内蔵するクロックの時刻を自動的に修正する電波時計用のクロック装置を、全体としてより小型化して省スペースを図ると共に、実装工程を含めた全体としてより安価にすることが可能な電波時計用のクロック装置を提供することができる。
【００１５】
さらに、このように構成されているので、電波時計用のクロック装置に実装する水晶発振器やＩＣ等の構成部品の配置や構成部品の形状をこの目的に合致するように変更することが可能となり、電波時計用のクロック装置に実装するＩＣやコンデンサ等の構成部品としてより安価なベアチップを採用し、ワイヤボンディング又はＦＣ（フリップチップ）ボンディングによって基板に直接実装し、水晶発振器のみは基板に任意の手段で取り付けた後リフローして固定することが可能になる。更に、実装装置もボンダー又は専用の実装装置を採用して狭いスペースに高速で実装することが可能となるので、標準電波を受信して内蔵するクロックの時刻を自動的に較正する電波時計のクロック装置を全体としてより小型化してより安価に製造することが可能となる。
【００１６】
また、アンテナ組立体及び同調用コンデンサは、電波時計用のクロック装置から独立して配置されるので、各種の形状のアンテナ組立体を自由に採用することが可能となって、設計上の融通性の高い電波時計用のクロック装置とすることができる。
【発明を実施するための最良の形態】
【００１７】
以下に、本発明の実施の形態を、実施例を示す図面に基づいて説明する。図１は本発明の電波時計用のクロック装置の１実施例を示すものであって、（ａ）は平面図、（ｂ）はＡ−Ａ線断面図、（ｃ）は下面図である。また、図２は本発明の電波時計用のクロック装置の他の実施例を示すものであって、（ａ）は平面図、（ｂ）はＢ−Ｂ線断面図、（ｃ）は下面図であり、図３は本発明の電波時計用のクロック装置の第３の実施例を示すものであって、（ａ）は平面図、（ｂ）はＣ−Ｃ線断面図、（ｃ）は下面図である。
【実施例１】
【００１８】
図１（ａ）に示すように、本発明の電波時計用のクロック装置１は、基板２の表面に所定の回路パターン（図示しない）が形成されており、この回路パターンの所定の位置に標準電波を受信する共振回路とクロックを制御する水晶発振器３とを制御して駆動するＩＣ４、このＩＣ４のためのコンデンサ５等の構成部品が実装されている。この基板２に実装される水晶発振器３、ＩＣ４及びコンデンサ５等の構成部品は、より安価なベアチップとすることが望ましく、水晶発振器を除く構成部品を基板２にワイヤボンディング又はＦＣ（フリップチップ）ボンディングによって直接実装し、水晶発振器のみは基板２に任意の手段で取り付けた後リフローして固定することが望ましい。更に、これらの構成部品は、電波時計用のクロック装置１を全体としてより小型化して省スペース化すると共に、基板２に水晶発振器３、ＩＣ４及びコンデンサ５等の構成部品を容易に実装できる位置に配置することが望ましい。
【００１９】
この実施例における電波時計用のクロック装置１は、基板２の表面に実装された水晶発振器３、ＩＣ４及びコンデンサ５等の構成部品を配置して所定の回路パターン（図示しない）で接続して構成されているので、基板２の外部に配置されるアンテナ組立体と同調用コンデンサとからなる共振回路（図示しない）を付加するのみで、標準電波を受信して時刻を自動的に較正することができるクロックを構成することができる。
【００２０】
水晶発振器３、ＩＣ４及びコンデンサ５等の構成部品を実装する回路パターン（図示しない）は、基板２の四隅及び側面（以下、まとめて隅部と記載する）に配置された円弧状の接続用導体６に接続されており、さらに、この接続用導体６は、裏面に形成された電極７（図１（ｃ）参照）に接続されている。
【００２１】
ここで、この接続用導体６と電極７は、電波時計用のクロック装置１として情報機器の回路に接続するのに必要な個数だけ設ければ足りるものであって、必ずしも図示された６個に限定されるものではなく、基板２の任意の位置（隅部）に必要個数設けることができる。そして、この電極７は、電波時計用のクロック装置１を情報機器の回路基板に実装する際に、情報機器の回路基板に接続して固定される電極を構成する。
【００２２】
そして、基板２の表面に実装された水晶発振器３、ＩＣ４及びコンデンサ５等の構成部品は、図１（ｂ）に断面として明瞭に示されており、図１（ａ）に想像線で示すように、モールド体８で基板２に一体に樹脂封止されている。このモールド体８は、基板２の表面に実装された水晶発振器３、ＩＣ４及びコンデンサ５等の構成部品を基板２に一体にして保持すると共に、外部の環境からこれらの構成部品及び回路パターン（図示しない）を保護するものであり、同時に、このように樹脂封止することによって、電波時計用のクロック装置１を１個の部品としてパッケージ化し、取扱いを容易にすることができる。
【００２３】
このようにして、標準電波を受信して時刻を自動的に較正することができるクロック装置をモジュール化して電波時計用のクロック装置１として構成することによって、情報機器の製造においては、パッケージ化されて取扱いの容易な電波時計用のクロック装置１とアンテナ組立体及び同調用コンデンサを実装するのみで、標準電波を受信して時刻を自動的に較正することができるクロック装置を完成することができるので、実装のための工数を大幅に削減できると共に、各種の形状のアンテナを自由に採用することが可能となり、設計上の融通性の高い電波時計用のクロック装置を提供することができる。
【００２４】
さらに、電波時計用のクロック装置１を製造する際には、電波時計用のクロック装置に実装するＩＣやコンデンサ等の構成部品としてより安価なベアチップを採用し、ワイヤボンディング又はＦＣ（フリップチップ）ボンディングによって基板に直接実装し、水晶発振器のみは基板に任意の手段で取り付けた後リフローして固定することが可能になり、実装装置もボンダー又は専用の実装装置を採用して狭いスペースに高速で実装することが可能となるので、標準電波を受信して内蔵するクロックの時刻を自動的に較正する電波時計のクロック装置を全体としてより小型化してより安価に製造することが可能となる。
【実施例２】
【００２５】
図２は本発明の電波時計用のクロック装置の他の実施例を示すものである。ここで、図１に示す第１の実施例の電波時計用のクロック装置１と図２に示す第２の実施例の電波時計用のクロック装置１１との相違点は、図２に示す第２の実施例の電波時計用のクロック装置１１では、水晶発振器を３ａと３ｂとの２個にして２種類の標準電波に対応することができるようにした点である。このように構成することによって、東日本及び西日本の双方の標準電波を受信可能にして、より感度の高い標準電波によって時刻を較正することができる。その他の構成は図１に示す第１の実施例と同様なので、第１の実施例と同じ符号を付けて詳細な説明は省略する。なお、ＩＣ４及びコンデンサ５は、いずれも１個ずつとなっているが、例えば、水晶発振器を３ａと３ｂとにそれぞれ対応して、コンデンサ５を２個にするなど、部品を追加して配置したり、部品の数を変更することができることはいうまでもない。
【実施例３】
【００２６】
図３は本発明の第３の実施例を示すものである。ここで、図１に示す第１の実施例の電波時計用のクロック装置１とこの実施例の電波時計用のクロック装置１２との相違点は、この実施例の電波時計用のクロック装置１２では、水晶発振器を３、コンデンサ５及びＩＣ４を一列に配置した点である。このように配置することによって、図から明らかなように、基板２が細長い形状となり、情報機器の回路基板の一隅の小さなスペースに配置することができる。
【００２７】
本発明の電波時計用のクロック装置１、１１，１２は、以上に述べたように構成されているので、基板２上に水晶発振器３、ＩＣ４、コンデンサ５等の構成部品を実装して樹脂封止された単一の部品となり、専用の部品として取り扱うことが可能となり、情報機器の回路基板にこの電波時計用のクロック装置とアンテナ組立体及び同調用コンデンサを実装するのみで、容易に標準電波を受信して時刻を自動的に較正する電波時計を構成することができる。
【００２８】
さらに、電波時計用のクロック装置に実装する水晶発振器やＩＣ等の構成部品の配置や構成部品の形状をこの目的に合致するように変更することが可能となり、電波時計用のクロック装置に実装するＩＣやコンデンサ等の構成部品としてより安価なベアチップを採用し、ワイヤボンディング又はＦＣ（フリップチップ）ボンディングによって基板に直接実装し、水晶発振器のみは基板に任意の手段で取り付けた後リフローして固定することが可能になる。更に、実装装置もボンダー又は専用の実装装置を採用して狭いスペースに高速で実装することが可能となるので、標準電波を受信して内蔵するクロックの時刻を自動的に較正する電波時計のクロック装置を全体としてより小型化してより安価に製造することが可能となる。
【００２９】
また、アンテナ組立体及び同調用コンデンサは、電波時計用のクロック装置から独立して配置されるので、各種の形状のアンテナ組立体を自由に採用することが可能となって、設計上の融通性の高い電波時計用のクロック装置とすることができる。
【００３０】
図４は、本発明の電波時計用のクロック装置１（１１、１２）を製造するための製造方法の一実施例を示すものである。この実施例では、図１〜３に示す回路パターン（図示しない）と電極７及び接続用導体６（図１〜３参照）を形成する基体として、基板２（図１〜３参照）をマトリックス状に多数配置した集合基板１６を使用する。
【００３１】
最初に、この集合基板１６の基板２（図１〜３参照）の四隅の位置及び必要なときにはその中間部の位置（以下、両者をまとめて隅部という）に貫通孔１７を穿孔し、次の回路形成工程で、この隅部に多数の貫通孔１７が穿孔された集合基板の表面に回路パターンを形成し、裏面に電極９を、隅部の貫通孔１７の内面に接続用導体８（いずれも図１〜３参照）を形成する。
【００３２】
次の実装工程では、表面に回路パターン（図示しない）が形成された集合基板１６の表面の所定の位置に、水晶発振器を３、ＩＣ４及びコンデンサ５（図１〜３参照）等の構成部品を任意の実装装置で実装する。ここで、水晶発振器３を除く構成部品をベアチップとし、ワイヤボンディング又はＦＣ（フリップチップ）ボンディングによって集合基板１６に実装し、水晶発振器のみは基板に任意の手段で取り付けた後リフローして固定することが望ましい。
【００３３】
この実装工程で構成部品が実装された集合基板１６は、次のモールド工程で、表面側を一体に樹脂封止する。このモールド工程による樹脂封止は、モールド体８で集合基板１６の表面に実装された構成部品を樹脂封止して集合基板１６にしっかりと固定すると共に、回路パターンや実装された構成部品を外部の環境から保護するものであって、次工程のダイシング工程における切断液や粉塵の影響から回路パターンや各種の部品を遮断すると共に、情報機器の回路基板に電波時計のクロック装置を実装する際や情報機器の使用中に回路パターンや実装された構成部品を保護するものである。このモールド体８は、集合基板１６の表面を全面的に被覆してもよいが、後述するように、基板２（図１〜３参照）の貫通孔１７に形成された接続用導体８（図１〜３参照）が外部に露出するように、図４に示すように、帯状のモールド体８とすることが望ましい。
【００３４】
モールド体８が硬化した後に、ダイシング工程で、構成部品が樹脂封止された集合基板１６を基板２（図１〜３参照）の隅部に設けられた貫通孔１７（接続用導体６）の位置を通過するように縦横にダイシングして、個々の電波時計用のクロック装置１、１１，１２に分割する。このとき、モールド体８を帯状に配置することによって、集合基板１６に設けられた貫通孔１７がモールド体８から外部に露出するので、この貫通孔１７の中心を通過する切断線１８及び１９に沿って切断することによって、個々の電波時計用のクロック装置１、１１，１２を正確でかつ容易に分割することができる。
【００３５】
このようにして分割された電波時計用のクロック装置１、１１，１２は、基板２（図１〜３参照）の表面に形成された回路パターン（図示しない）及び実装された水晶発振器を３、ＩＣ４及びコンデンサ５（図１〜３参照）等の構成部品をモールド体８で被覆した単一の部品となるので、情報機器の回路基板に電波時計用のクロック装置１、１１、１２を実装する工程では、単一の部品として容易に取り扱うことができる。
【００３６】
このようにして電波時計用のクロック装置１、１１、１２を製造することによって、大型の集合基板１６にまとめて多数の貫通孔１７を穿孔し、回路形成工程で回路パターンを形成し、実装工程で水晶発振器３、ＩＣ４及びコンデンサ５（図１〜３参照）等の構成部品を実装してリフローし、或いは、水晶発振器３を除く構成部品をベアチップとして、ワイヤボンディング又はＦＣ（フリップチップ）ボンディングによって集合基板１６に実装し、水晶発振器のみは基板に任意の手段で取り付けた後リフローして固定した後、モールド工程で一体に樹脂封止して、モールド体８が硬化した後で、ダイシング工程で個々の電波時計用のクロック装置１、１１、１２に分割するので、多数の電波時計用のクロック装置１、１１、１２を一度に製造することはでき、取扱いが容易で且つ安価な電波時計用のクロック装置の製造方法を提供することができる。
【００３７】
以上、本発明の電波時計用のクロック装置及びその製造方法について実施例に基づいて説明してきたが、前述したように、本発明の電波時計用のクロック装置は、標準電波を受信して時刻を修正する電波時計用のクロック装置において、少なくとも、表面に水晶発振器及びＩＣからなる構成部品を実装する回路パターンを有し、裏面に回路基板と接続する電極を形成すると共に、側面に回路パターンと電極とを接続する接続用導体を形成したことを特徴とする電波時計用のクロック装置であって、実施例に述べた実施の形態に限定されるものではなく、本発明の要旨を逸脱しない範囲において各種の変更や改良を行うことができることは勿論である。
【００３８】
また、本発明の電波時計用のクロック装置の製造方法は、標準電波を受信して時刻を修正する電波時計用のクロック装置において、水晶発振器及びＩＣ等の構成部品を配置してクロック装置を形成する基体が、表面に構成部品を実装する回路パターンを有する基板をマトリックス状に配置した集合基板であって、この集合基板の表面に回路パターンを形成する回路形成工程と、集合基板の所定の位置に構成部品を実装する実装工程と、構成部品が実装された集合基板を樹脂封止するモールド工程と、樹脂封止された集合基板をダイシングして個々の電波時計用のクロック装置に分割するダイシング工程とを有することを特徴とする電波時計用のクロック装置の製造方法であって、同様に、実施例に述べた実施の形態に限定されるものではなく、本発明の要旨を逸脱しない範囲において各種の変更や改良を行うことができることは勿論である。
【図面の簡単な説明】
【００３９】
【図１】本発明の電波時計用のクロック装置の１実施例を示すものであって、（ａ）は平面図、（ｂ）はＡ−Ａ線断面図、（ｃ）は下面図である。
【図２】本発明の電波時計用のクロック装置の他の実施例を示すものであって、（ａ）は平面図、（ｂ）はＢ−Ｂ線断面図、（ｃ）は下面図である。
【図３】本発明の電波時計用のクロック装置の第３の実施例を示すものであって、（ａ）は平面図、（ｂ）はＣ−Ｃ線断面図、（ｃ）は下面図である。
【図４】本発明の電波時計用のクロック装置の製造方法の１実施例を示す平面図である。
【図５】従来技術の電波時計用のクロック装置の１例を示す斜視図である。
【符号の説明】
【００４０】
１，１１，１２  電波時計用のクロック装置
２  基板
３  水晶発振器
４  ＩＣ
５  コンデンサ
６  接続用導体
７  電極
８  モールド体
１６  集合基板
１７  貫通孔
１８，１９  切断線
【図１】
2005274349.tif 000003
【図２】
2005274349.tif 000004
【図３】
2005274349.tif 000005
【図４】
2005274349.tif 000006
【図５】
2005274349.tif 000007